(57)【要約】【課題】棒金収納庫から取り出された棒金が釣銭機に補充する硬貨と異なる場合に警告するレジスタシステムを提供すること。【解決手段】補充する硬貨の金種を特定する補充硬貨特定手段２１Ｂを備えたＰＯＳレジスタ２と、収納されている棒金の金種および本数を監視する棒金監視手段４１Ａとを備えた棒金収納庫４とを備えたレジスタシステム１において、補充硬貨特定手段２１Ｂにより補充するべき硬貨の金種を特定した後に、棒金監視手段４１Ａが監視する棒金の本数が少なくなった場合に少なくなった棒金の金種を特定する棒金特定手段４１Ｂと、棒金特定手段４１Ｂが特定した金種と補充硬貨特定手段２１Ｂが特定した金種とが異なる場合にその旨を警告する警告手段２１Ｄとを備えたので、釣銭機３に補充するために、棒金収納庫４から取り出された棒金が釣銭機３に補充する硬貨と異なる場合に警告する。【選択図】図２
2014120061.tif 000002
【特許請求の範囲】
【請求項１】
釣銭となる硬貨の枚数を金種ごとに管理する釣銭管理手段と、前記釣銭管理手段が管理する硬貨の枚数があらかじめ定めた枚数よりも少なくなった金種を特定する補充硬貨特定手段とを備えた釣銭機と、
棒金を収納する収納溝ごとに設けられ、収納溝ごとに棒金の有無、収納した棒金の金種を識別する識別手段と、前記識別手段が識別した棒金の有無、収納した棒金の金種に基づいて、収納されている棒金の金種および本数を監視する棒金監視手段とを備えた棒金収納庫と
を備えた釣銭機システムにおいて、
前記補充硬貨特定手段によりあらかじめ定めた枚数よりも少なくなった硬貨を特定した後に、前記棒金監視手段が監視する棒金の本数が少なくなった場合に少なくなった棒金の金種を特定する棒金特定手段と、
前記棒金特定手段が特定した金種と前記補充硬貨特定手段が特定した金種とが異なる場合にその旨を警告する警告手段と
を備えたことを特徴とする釣銭機システム。
【請求項２】
前記釣銭機は、前記釣銭管理手段が管理する硬貨の枚数があらかじめ定めた枚数よりも多くなった場合に金種を特定する回収硬貨特定手段を備えたことを特徴とする請求項１に記載の釣銭機システム。
【請求項３】
補充するべき硬貨の金種を特定する補充硬貨特定手段を備えたレジスタと、
棒金を収納する収納溝ごとに設けられ、収納溝ごとに棒金の有無、収納した棒金の金種を識別する識別手段と、前記識別手段が識別した棒金の有無、収納した棒金の金種に基づいて、収納されている棒金の金種および本数を監視する棒金監視手段とを備えた棒金収納庫と
を備えたレジスタシステムにおいて、
前記補充硬貨特定手段により補充するべき硬貨の金種を特定した後に、前記棒金監視手段が監視する棒金の本数が少なくなった場合に少なくなった棒金の金種を特定する棒金特定手段と、
前記棒金特定手段が特定した金種と前記補充硬貨特定手段が特定した金種とが異なる場合にその旨を警告する警告手段と
を備えたことを特徴とするレジスタシステム。
【請求項４】
釣銭となる硬貨の枚数を金種ごとに管理する釣銭管理手段と、前記釣銭管理手段が管理する硬貨の枚数があらかじめ定めた枚数よりも多くなった金種を特定する回収硬貨特定手段とを備えた釣銭機を備え、
前記レジスタは、回収する硬貨の金種および枚数を特定する回収硬貨特定手段を備え、
前記釣銭機に備えた回収硬貨特定手段が特定した金種と前記レジスタに備えた回収硬貨特定手段が特定した金種とが異なる場合にその旨を警告する警告手段を備えたことを特徴とする請求項３に記載のレジスタシステム。
【請求項５】
釣銭となる硬貨の枚数を金種ごとに管理する釣銭管理手段と、前記釣銭管理手段が管理する硬貨の枚数があらかじめ定めた枚数よりも少なくなった金種を特定する補充硬貨特定手段とを備えた釣銭機と、
棒金を収納する収納溝ごとに設けられ、収納溝ごとに棒金の有無、収納した棒金の金種を識別する識別手段を備えた棒金収納庫と
を備えた釣銭機システムにおいて、
前記棒金収納庫は、収納溝ごとに棒金の取り出しを制限する取出制限手段を備え、
前記釣銭機から棒金収納庫に補充硬貨特定手段が特定した金種が通知された場合に、通知された金種の棒金が収納されている収納溝に備えた取出制限手段を解放することを特徴とする釣銭機システム。
【請求項６】
補充するべき硬貨の金種を特定する補充硬貨特定手段を備えたレジスタと、
棒金を収納する収納溝ごとに設けられ、収納溝ごとに棒金の有無、収納した棒金の金種を識別する識別手段を備えた棒金収納庫と
を備えたレジスタシステムにおいて、
前記棒金収納庫は、収納溝ごとに棒金の取り出しを制限する取出制限手段を備え、
前記レジスタから棒金収納庫に補充硬貨特定手段が特定した金種が通知された場合に、通知された金種の棒金が収納されている収納溝に備えた取出制限手段を解放することを特徴とするレジスタシステム。
【請求項７】
上面に棒金を収納する収納溝が設けられた収納トレイと、前記収納溝ごとに設けられ、収納溝に棒金が収納された場合に収納された棒金の種類によって出力が変動する出力手段と、該出力手段の出力から収納溝ごとに棒金が収納されているか否か、収納溝に棒金が収納されている場合にその棒金がいかなる種類のものであるかを識別する識別手段とを備えた棒金収納庫であって、
前記収納溝は、収納するすべての金種の棒金が収納可能な同一形状に形成され、かつ、収納された棒金を一方の側壁に押し付けるように、少なくとも一つの傾斜壁が設けられ、
かつ、
前記出力手段は、前記収納溝に収納される、材質の似た棒金のうち、最も大径の棒金、あるいは、最も小径の棒金が収納された場合に最大となる出力が得られるように、傾斜壁の裏側に設けられた棒金収納庫を有する請求項１，２，５に記載の釣銭機システム、および請求項３，４，６に記載のレジスタシステム。
【請求項８】
筐体と、該筐体に引き出し可能に収納され、上面に棒金を収納する収納溝が形成された抽斗とを備えた棒金収納庫であって、
筐体から抽斗が引き出された場合に収納溝に収納された棒金を押し上げる一方、筐体に抽斗を押し入れた場合に押し上げられた棒金を元の収納状態に戻す押上手段を備えた棒金収納庫を有する請求項１，２，５に記載の釣銭機システム、および請求項３，４，６に記載のレジスタシステム。
【請求項９】
筐体と、該筐体に引き出し可能に収納された抽斗とを備えた棒金収納庫であって、
前記筐体から引き出された前記抽斗を、前記筐体内部に収納する駆動手段を備えた棒金収納庫を有する請求項１，２，５に記載の釣銭機システム、および請求項３，４，６に記載のレジスタシステム。
【発明の詳細な説明】
【技術分野】
【０００１】
本発明は、スーパーマーケットやコンビニエンスストアなどの店舗に設置される釣銭機システム、レジスタシステムに関する。
【背景技術】
【０００２】
昨今のスーパーマーケットやコンビニエンスストアでは、レジスタに釣銭機が接続されているのが一般的である。釣銭機は、たとえば、硬貨が投入された場合にこれを識別して収納する一方、レジスタから出金指令が与えられた場合に該当する金額の硬貨を払い出すものである。
【０００３】
この種の釣銭機の中には、棒金収納庫を付設したものがある。棒金収納庫はあらかじめ設定した枚数（たとえば５０枚）の硬貨を積層して包装した棒金を収納するものであり、釣銭機において出金する硬貨が足りなくなった場合には、棒金収納庫から足りなくなった硬貨と同一金種の棒金が取り出され、釣銭機に補充される（たとえば、特許文献１参照）。
【先行技術文献】
【特許文献】
【０００４】
【特許文献１】特開２０１１−１８２３１号公報
【発明の概要】
【発明が解決しようとする課題】
【０００５】
しかしながら、棒金収納庫から取り出した棒金が釣銭機に補充するべき硬貨と異なる場合にそのまま釣銭機に補充すると、補充した硬貨が釣銭機の収納容量を超えることがある。この場合には、釣銭機の運用を中断して補充した硬貨を回収しなければ、釣銭機の運用を再開できない。
【０００６】
本発明は、上記に鑑みてなされたものであって、棒金収納庫から取り出された棒金が釣銭機に補充するべき硬貨と異なる場合に警告する釣銭機システムおよびレジスタシステムを提供することを目的とする。
【課題を解決するための手段】
【０００７】
上述した課題を解決し、目的を達成するために、本発明は、釣銭となる硬貨の枚数を金種ごとに管理する釣銭管理手段と、前記釣銭管理手段が管理する硬貨の枚数があらかじめ定めた枚数よりも少なくなった金種を特定する補充硬貨特定手段とを備えた釣銭機と、棒金を収納する収納溝ごとに設けられ、収納溝ごとに棒金の有無、収納した棒金の金種を識別する識別手段と、前記識別手段が識別した棒金の有無、収納した棒金の金種に基づいて、収納されている棒金の金種および本数を監視する棒金監視手段とを備えた棒金収納庫とを備えた釣銭機システムにおいて、前記補充硬貨特定手段によりあらかじめ定めた枚数よりも少なくなった金種を特定した後に、前記棒金監視手段が監視する棒金の本数が少なくなった場合に少なくなった棒金の金種を特定する棒金特定手段と、前記棒金特定手段が特定した金種と前記補充硬貨特定手段が特定した金種とが異なる場合にその旨を警告する警告手段とを備えたことを特徴とする。
【０００８】
また、本発明は、上記発明において、前記釣銭機は、前記釣銭管理手段が管理する硬貨の枚数があらかじめ定めた枚数よりも多くなった場合に金種を特定する回収硬貨特定手段を備えたことを特徴とする。
【０００９】
また、本発明は、補充するべき硬貨の金種を特定する補充硬貨特定手段を備えたレジスタと、棒金を収納する収納溝ごとに設けられ、収納溝ごとに棒金の有無、収納した棒金の金種を識別する識別手段と、前記識別手段が識別した棒金の有無、収納した棒金の金種に基づいて、収納されている棒金の金種および本数を監視する棒金監視手段とを備えた棒金収納庫とを備えたレジスタシステムにおいて、前記補充硬貨特定手段により補充するべき硬貨の金種を特定した後に、前記棒金監視手段が監視する棒金の本数が少なくなった場合に少なくなった棒金の金種を特定する棒金特定手段と、前記棒金特定手段が特定した金種と前記補充硬貨特定手段が特定した金種とが異なる場合にその旨を警告する警告手段とを備えたことを特徴とする。
【００１０】
また、本発明は、上記発明において、釣銭となる硬貨の枚数を金種ごとに管理する釣銭管理手段と、前記釣銭管理手段が管理する硬貨の枚数があらかじめ定めた枚数よりも多くなった金種を特定する回収硬貨特定手段とを備えた釣銭機を備え、前記レジスタは、回収する硬貨の金種および枚数を特定する回収硬貨特定手段を備え、前記釣銭機に備えた回収硬貨特定手段が特定した金種と前記レジスタに備えた回収硬貨特定手段が特定した金種とが異なる場合にその旨を警告する警告手段を備えたことを特徴とする。
【００１１】
また、本発明は、釣銭となる硬貨の枚数を金種ごとに管理する釣銭管理手段と、前記釣銭管理手段が管理する硬貨の枚数があらかじめ定めた枚数よりも少なくなった金種を特定する補充硬貨特定手段とを備えた釣銭機と、棒金を収納する収納溝ごとに設けられ、収納溝ごとに棒金の有無、収納した棒金の金種を識別する識別手段を備えた棒金収納庫とを備えた釣銭機システムにおいて、前記棒金収納庫は、収納溝ごとに棒金の取り出しを制限する取出制限手段を備え、前記釣銭機から棒金収納庫に補充硬貨特定手段が特定した金種が通知された場合に、通知された金種の棒金が収納されている収納溝に備えた取出制限手段を解放することを特徴とする。
【００１２】
また、本発明は、補充するべき硬貨の金種を特定する補充硬貨特定手段を備えたレジスタと、棒金を収納する収納溝ごとに設けられ、収納溝ごとに棒金の有無、収納した棒金の金種を識別する識別手段を備えた棒金収納庫とを備えたレジスタシステムにおいて、前記棒金収納庫は、収納溝ごとに棒金の取り出しを制限する取出制限手段を備え、前記レジスタから棒金収納庫に補充硬貨特定手段が特定した金種が通知された場合に、通知された金種の棒金が収納されている収納溝に備えた取出制限手段を解放することを特徴とする。
【発明の効果】
【００１３】
本発明にかかる釣銭機システムは、補充硬貨特定手段によりあらかじめ定めた枚数よりも少なくなった金種を特定した後に、棒金監視手段が監視する棒金の本数が少なくなった場合に少なくなった棒金の金種を特定する棒金特定手段と、棒金特定手段が特定した金種と補充硬貨特定手段が特定した金種とが異なる場合にその旨を警告する警告手段とを備えたので、釣銭機に補充するために棒金収納庫から取り出された棒金が釣銭機に補充するべき硬貨と異なる場合に警告する。これにより、釣銭機に補充する硬貨の間違いを防ぐことができる。
【００１４】
また、本発明にかかるレジスタシステムは、補充硬貨特定手段により補充するべき硬貨の金種を特定した後に、棒金監視手段が監視する棒金の本数が少なくなった場合に少なくなった棒金の金種を特定する棒金特定手段と、棒金特定手段が特定した金種と補充硬貨特定手段が特定した金種とが異なる場合にその旨を警告する警告手段とを備えたので、釣銭機に補充するために棒金収納庫から取り出された棒金が釣銭機に補充するべき硬貨と異なる場合に警告する。これにより、釣銭機に補充する硬貨の間違いを防ぐことができる。
【００１５】
また、本発明にかかる釣銭機システムは、釣銭機から棒金収納庫に補充硬貨特定手段が特定した金種が通知された場合に、通知された金種の棒金が収納されている収納溝に備えた取出制限手段を解放するので、通知された金種の棒金以外は取り出しが制限され、釣銭機に補充する硬貨の間違いを防ぐことができる。
【００１６】
また、本発明にかかるレジスタシステムは、レジスタから棒金収納庫に補充硬貨特定手段が特定した金種が通知された場合に、通知された金種の棒金が収納されている収納溝に備えた取出制限手段を解放するので、通知された金種の棒金以外は取り出しが制限され、釣銭機に補充する硬貨の間違いを防ぐことができる。
【図面の簡単な説明】
【００１７】
【図１】図１は、本発明の実施の形態であるレジスタシステムを示す斜視図である。
【図２】図２は、図１に示したレジスタシステムの制御構成を示すブロック図である。
【図３】図３は、図１および図２に示したレジスタシステムにおける硬貨の補充制御を示すシーケンス図である。
【図４】図４は、図１に示したＰＯＳレジスタの表示部に表示する表示例を示す図であって、硬貨の補充を促す表示例を示す図である。
【図５】図５は、図１に示した棒金収納庫から抽斗が引き出された状態を示す図である。
【図６】図６は、硬貨の補充に適正な棒金が取り出された状態を示す図である。
【図７】図７は、硬貨の補充に不適な棒金が取り出された状態を示す図である。
【図８】図８は、図１に示したＰＯＳレジスタの表示部に表示する表示例を示す図であって、硬貨の補充に不適な棒金が取り出されたときの表示例を示す図である。
【図９】図９は、図１および図２に示したレジスタシステムにおける硬貨の回収制御を示すシーケンス図である。
【図１０】図１０は、図１に示したＰＯＳレジスタの表示部に表示する表示例を示す図であって、硬貨の回収を促す表示例を示す図である。
【図１１】図１１は、硬貨の回収に不適な硬貨が選択されたときの表示例を示す図である。
【図１２】図１２は、本発明の実施の形態であるレジスタシステムを示す斜視図である。
【図１３】図１３は、図１２に示したレジスタシステムの制御構成を示すブロック図である。
【図１４】図１４は、図１２および図１３に示したレジスタシステムにおける硬貨の補充制御手順を示すシーケンス図である。
【図１５】図１５は、図１２に示したＰＯＳレジスタの表示部に表示する表示例を示す図であって、５００円硬貨の補充を促す表示例を示す図である。
【図１６】図１６は、図１２に示した棒金収納庫から抽斗が引き出された状態を示す図である。
【図１７】図１７は、図１６に示した抽斗の内部構造を示す図である。
【図１８】図１８は、５００円の棒金が取り出された状態を示す図である。
【図１９】図１９は、図１２に示したＰＯＳレジスタの表示部に表示する表示例を示す図であって、１００円硬貨の補充を促す表示例を示す図である。
【図２０】図２０は、１００円の棒金が取り出された状態を示す図である。
【図２１】図２１は、取出制限手段の形態を示す斜視図であって、棒金の取り出しが制限された状態を示す図である。
【図２２】図２２は、図２１に示した取出制限手段を示す正断面図である。
【図２３】図２３は、図２１に示した取出制限手段を示す側断面図である。
【図２４】図２４は、図２１に示した取出制限手段において、棒金の取り出しが許容された状態を示す図である。
【図２５】図２５は、図２３に示した取出制限手段において、棒金が取り出された状態を示す図である。
【図２６】図２６は、取出制限手段の形態を示す斜視図であって、棒金の収納が制限された状態を示す図である。
【図２７】図２７は、図２６に示した取出制限手段において、棒金の取り出しが許容された状態を示す図である。
【図２８】図２８は、図２６に示した取出制限手段において、棒金が取り出された状態を示す図である。
【図２９】図２９は、取出制限手段の形態を示す斜視図であって、棒金の取り出しが制限された状態を示す図である。
【図３０】図３０は、図２９に示した取出制限手段において、棒金の取り出しが許容された状態を示す図である。
【図３１】図３１は、図２９に示した取出制限手段において、棒金が取り出された状態を示す図である。
【図３２】図３２は、本発明の実施の形態である棒金収納庫を示す斜視図である。
【図３３】図３３は、図３２に示した収納溝の形態１を示す断面図である。
【図３４】図３４は、図３３に示した収納溝に硬貨を収納した状態を示す断面図である。
【図３５】図３５は、図３２に示した収納溝の形態２を示す断面図であって、収納溝に硬貨を収納した状態を示す図である。
【図３６】図３６は、本発明の実施の形態である棒金収納庫を示す斜視図である。
【図３７】図３７に示した収納溝の構造を示す断面図であって、筐体に抽斗が収納された状態を示す図である。
【図３８】図３８は、図３７に示した収納溝において、筐体から抽斗が引き出された状態を示す図である。
【図３９】図３９は、図３７に示した収納溝において、筐体に抽斗を押し入れる直前の状態を示す図である。
【図４０】図４０は、本発明の実施の形態である棒金収納庫を示す斜視図である。
【図４１】図４１は、図４０に示した棒金収納庫の内部構造を示す平面図である。
【図４２】図４２は、図４１に示した棒金収納庫において抽斗をわずかに飛び出させた状態を示す図である。
【図４３】図４３は、図４１に示した棒金収納庫において抽斗を引き出した状態を示す図である。
【図４４】図４４は、図４０に示した棒金収納庫に採用した抽斗収納手段の形態１を示す概念図である。
【図４５】図４５は、図４０に示した棒金収納庫に採用した抽斗収納手段の形態２を示す概念図である。
【発明を実施するための形態】
【００１８】
以下に、本発明にかかる釣銭機システム、レジスタシステムの実施の形態を図面に基づいて詳細に説明する。なお、この実施の形態によりこの発明が限定されるものではない。
【００１９】
［実施の形態１］
図１は、本発明の実施の形態であるレジスタシステムを示す斜視図であり、図２は、図１に示したレジスタシステムの制御構成を示すブロック図である。本発明の実施の形態であるレジスタシステム１は、スーパーマーケットやコンビニエンスストアなどの店舗に設置され、販売時点管理（ＰＯＳ（Point  Of  Sales））、釣銭の管理や棒金の管理に供される。図１および図２に示すように、本発明の実施の形態であるレジスタシステム１は、ＰＯＳレジスタ２、釣銭機３、棒金収納庫４を備えて構成され、図１に示すように、棒金収納庫４の上に、釣銭機３、ＰＯＳレジスタ２の順に搭載される。
【００２０】
ＰＯＳレジスタ２は、レジ担当者の操作により、商品のコードを読み取り、商品のコード、数量を登録する一方、商品のコードから商品のアイテム、商品の値段を呼び出し、請求金額と買い物客から受け取ったお金との差額（釣銭額）とを算出するもので、図２に示すように、制御部２１、表示部２２、入力部（タッチパネル）２３、通信部２４を備えている。そして、ＰＯＳレジスタ２は、これに付随する金額表示器９に算出した請求金額を表示するとともに、釣銭額を表示する。これにより、買い物客は、請求金額と釣銭額とを知ることができる。また、ここで説明するＰＯＳレジスタ２の制御部２１は、補充硬貨特定手段２１Ｂ、回収硬貨特定手段２１Ｃ、警告手段２１Ｄを備えている。
【００２１】
補充硬貨特定手段２１Ｂは、釣銭機３に補充するべき硬貨（金種）を特定するためのもので、補充する硬貨は、釣銭機３から通知された硬貨（釣銭機３が補充を必要とする硬貨）のほか、本実施の形態であるレジスタシステム１が取り扱う硬貨が候補となる。本実施の形態であるレジスタシステム１は、レジスタシステム１を設置する店舗の設置環境により、１円硬貨、５円硬貨、１０円硬貨、５０円硬貨、１００円硬貨、５００円硬貨を取り扱うので、１００円硬貨の補充を必要とする場合には、１００円硬貨のほか、１円硬貨、５円硬貨、１０円硬貨、５０円硬貨、５００硬貨が補充候補となる。なお、レジスタシステム１を設置する店舗の設置環境により、１０円硬貨、５０円硬貨、１００円硬貨、５００円硬貨を取り扱う場合において、１００円硬貨の補充を必要とする場合には、１００円硬貨のほか、１０円硬貨、５０円硬貨、５００円硬貨が補充候補となる。
【００２２】
そして、釣銭機３からＰＯＳレジスタ２に補充を必要とする硬貨（金種）が通知された場合などにその硬貨（金種）や補充候補となるほかの硬貨（金種）が表示部２２に表示され、釣銭機３から通知された硬貨（釣銭機３が補充を必要とする硬貨）、あるいは、補充候補となる硬貨の表示に触れることにより、入力部２３からＰＯＳレジスタ２に補充する硬貨が入力される。これにより、補充硬貨特定手段２１Ｂは、釣銭機３に補充するべき硬貨（金種）を特定する。
【００２３】
回収硬貨特定手段２１Ｃは、釣銭機３から回収する硬貨（金種）を特定するためのもので、回収する硬貨は、釣銭機３から通知された硬貨（釣銭機３が回収を必要とする硬貨）のほか、本実施の形態であるレジスタシステム１が取り扱う硬貨が候補となる。そして、釣銭機３からＰＯＳレジスタ２に回収を必要とする硬貨（金種）が通知された場合などにその硬貨（金種）や回収候補となるほかの硬貨（金種）が表示部２２に表示され、釣銭機３から通知された硬貨（釣銭機３が回収を必要とする硬貨）、あるいは、回収候補となる硬貨の表示に触れることにより、入力部２３からＰＯＳレジスタ２に回収する硬貨が入力される。これにより、回収硬貨特定手段２１Ｃは、釣銭機３から回収される硬貨を特定する。
【００２４】
警告手段２１Ｄは、補充のために棒金収納庫４から取り出された棒金（金種）と補充硬貨特定手段２１Ｂが特定した硬貨（金種）とが異なる場合にその旨を警告するためのもので、たとえば、棒金収納庫４から通知されている金種と補充硬貨特定手段２１Ｂが特定した硬貨（金種）とが異なる場合に、その旨（警告）を表示部２２に表示したり、図示せぬスピーカやブザーからその旨を警告する音（警告）を鳴らしたりする。なお、表示部２２に表示された確認を意味する「はい」などを表示する入力部（タッチパネル）２３に触れることにより、その旨が入力部２３から入力され、警告表示や警告音が消える。これにより、棒金収納庫４から取り出された棒金（金種）と補充硬貨特定手段２１Ｂが特定した硬貨（金種）とが異なる場合でも、硬貨の補充を強行できる。また、事前に表示部２２に表示された「警告無効」などの表示に触れることにより、その旨を入力部２３から入力し、警告表示や警告音を無効にしてから棒金Ｃを棒金収納庫４から取り出すこともできる。
【００２５】
釣銭機３は、レジ担当者の操作により、買い物客から受け取った代金が投入される一方、釣銭となる硬貨を払い出すもので、制御部３１、表示部３２、入力部３３、通信部３４を備えている。そして、釣銭機３は、投入された代金（入金額）、払い出された釣銭（出金額）、有り高を管理する。これにより、レジ担当者は、硬貨を数えることなく釣銭を出金できる。また、ここで説明する釣銭機３の制御部３１は、釣銭管理手段３１Ａ、補充硬貨特定手段３１Ｂ、回収硬貨特定手段３１Ｃ、警告手段３１Ｄを備えている。
【００２６】
釣銭管理手段３１Ａは、釣銭となる硬貨の枚数を金種ごとに管理するためのもので、投入された代金を構成する硬貨の金種および枚数と、払い出された釣銭を構成する硬貨の金種および枚数を管理する。
【００２７】
補充硬貨特定手段３１Ｂは、釣銭機３に補充するべき硬貨（金種）を特定するためのもので、釣銭管理手段３１Ａが管理する硬貨の枚数があらかじめ定めた枚数よりも少なくなった硬貨（金種）のほか、本実施の形態であるレジスタシステム１が取り扱う硬貨が候補となる。そして、釣銭管理手段３１Ａが管理する硬貨の枚数があらかじめ定めた枚数より少なくなった場合などにその硬貨（金種）が表示部３２に表示され、補充硬貨特定手段３１Ｂは、あらかじめ定めた枚数よりも少なくなった硬貨（金種）、あるいは、入力部３３から入力された硬貨（金種）を補充する硬貨に特定する。
【００２８】
回収硬貨特定手段３１Ｃは、釣銭機３から回収するべき硬貨（金種）を特定するためのもので、釣銭管理手段３１Ａが管理する硬貨の枚数があらかじめ定めた枚数よりも多くなった硬貨（金種）のほか、本実施の形態であるレジスタシステム１が扱う硬貨が候補となる。そして、釣銭管理手段３１Ａが管理する硬貨の枚数があらかじめ定めた枚数より少なくなった場合などにその硬貨（金種）が表示部３２に表示され、回収硬貨特定手段３１Ｃは、あらかじめ定めた枚数よりも多くなった硬貨（金種）、あるいは、入力部３３から入力された硬貨（金種）を補充する硬貨に特定する。
【００２９】
警告手段３１Ｄは、棒金収納庫４から取り出された棒金（金種）と補充硬貨特定手段３１Ｂが特定した硬貨（金種）とが異なる場合にその旨を警告するためのもので、たとえば、棒金収納庫４から通知されている金種と補充硬貨特定手段３１Ｂが特定した硬貨（金種）とが異なる場合に、その旨（警告表示）を表示部３２に表示したり、図示せぬスピーカやブザーからその旨を警告する音（警告音）を鳴らしたりする。なお、入力部３３から「確認」や「取消」などが入力されると、警告の表示や警告音が消える。これにより、棒金収納庫４から取り出された棒金（金種）と補充硬貨特定手段３１Ｂが特定した硬貨（金種）とが異なる場合でも、硬貨の補充を強行できる。また、入力部から「警告無効」などを入力することにより、警告の表示や警告の音を消してから棒金Ｃを棒金収納庫４から取り出すこともできる。
【００３０】
図５に示すように、棒金収納庫４は、釣銭機３に補充する硬貨（棒金）を収納するためのもので、筐体５１と、筐体５１から引き出し可能に収納された抽斗５２と、抽斗５２に搭載された収納トレイ５３とを備えている。収納トレイ５３は、棒金Ｃを収納するためのもので、その上面には棒金Ｃを収納するための収納溝５４が設けてある。なお、棒金Ｃは、同一種類の硬貨をあらかじめ定めた枚数だけ積層して包装し、一つの取り扱い単位として構成したものである。本実施の形態では、１円硬貨、５円硬貨、１０円硬貨、５０円硬貨、１００円硬貨、５００円硬貨をそれぞれ所定の枚数ずつ包装した棒金Ｃを収納対象とする。また、ここで説明する棒金収納庫は、制御部４１、識別手段４３、通信部４４を備えており、さらに、制御部４１は、棒金監視手段４１Ａ、棒金特定手段４１Ｂを備えている。
【００３１】
識別手段４３は、収納溝５４ごとに棒金の有無、収納した棒金の金種を識別するもので、棒金を収納する収納溝５４ごとに設けてある。これにより、識別手段４３は、収納溝５４ごとに、棒金の有無、収納した棒金の金種を識別する。
【００３２】
棒金監視手段４１Ａは、収納トレイ５３に収納されている棒金の金種および本数を監視するためのもので、識別手段４３が識別した棒金の有無、収納した棒金の金種に基づいて、収納されている棒金の金種および本数を監視する。
【００３３】
棒金特定手段４１Ｂは、収納トレイ５３から取り出された棒金Ｃを特定するためのもので、棒金監視手段４１Ａが監視する棒金の本数が少なくなった場合に少なくなった棒金の金種を特定する。
【００３４】
図３は、図１および図２に示したレジスタシステムにおける硬貨の補充制御を示すシーケンス図である。
【００３５】
図３に示すように、釣銭機３が管理する硬貨の枚数があらかじめ定めた枚数よりも少なくなると、釣銭管理手段３１Ａは、釣銭の補充が必要であると判断し、釣銭の補充を促し、補充が必要であると判断した硬貨（金種）を表示部３２に表示するとともに、ＰＯＳレジスタ２に通知する。
【００３６】
釣銭機３からＰＯＳレジスタ２に補充が必要であると判断した硬貨が通知されると、ＰＯＳレジスタ２は、補充が必要であると判断した硬貨と釣銭の補充を促す表示を表示部２２に表示する（図４参照）。ここで、レジ担当者が、通知された硬貨（釣銭機３が補充を必要とする硬貨）、あるいは補充候補となる硬貨の表示に触れることにより、入力部２３からＰＯＳレジスタ２に補充する硬貨を入力すると、補充硬貨特定手段２１Ｂは、釣銭機３に補充する硬貨（金種）を特定する。なお、上述したように、本実施の形態であるレジスタシステム１は、レジスタシステム１を設置する店舗の設置環境により、１円硬貨、５円硬貨、１０円硬貨、５０円硬貨、１００円硬貨、５００円硬貨を取り扱うので、１００円硬貨の補充を必要とする場合に、補充候補となるのは、１００円硬貨のほか、１円硬貨、５円硬貨、１０円硬貨、５０円硬貨、５００硬貨である。
【００３７】
補充硬貨特定手段２１Ｂが釣銭機３に補充する硬貨を特定すると、ＰＯＳレジスタ２は釣銭機に補充指令を出力し、これを受けて釣銭機３は棒金収納庫４に開放指令を出力する。これにより、棒金収納庫４の抽斗５２は筐体５１から引き出し可能となり、収納トレイ５３に設けた収納溝５４から棒金Ｃが取り出し可能となる（図５参照）。
【００３８】
このとき、棒金収納庫４に収納された棒金の金種および本数は、棒金監視手段４１Ａにより監視され、棒金収納庫４から棒金Ｃが取り出された場合には、棒金特定手段４１Ｂが取り出された棒金の金種を特定する。そして、棒金特定手段４１Ｂが特定した棒金の金種は、釣銭機３を経由してＰＯＳレジスタ２に通知される。
【００３９】
棒金収納庫４からＰＯＳレジスタ２に棒金の金種が通知されると、ＰＯＳレジスタ２は、補充硬貨特定手段２１Ｂが特定した硬貨（金種）と通知された棒金の金種とを照合する。補充硬貨特定手段２１Ｂが特定した硬貨と棒金収納庫４から通知された棒金の金種とが一致する場合（たとえば、５００円硬貨を補充するのに５００円の棒金を取り出した場合）には、レジ担当者によって棒金Ｃがばらされ、釣銭機３に補充される（図６参照）。一方、補充硬貨特定手段２１Ｂが特定した硬貨と通知された棒金の金種とが異なる場合（たとえば、５００円硬貨を補充するのに１００円の棒金を取り出した場合）には、ＰＯＳレジスタ２が表示部２２にその旨（警告表示）を表示したり、スピーカやブザーからその旨を警告する音（警告音）を鳴らしたりする（図８参照）。
【００４０】
このとき、取り出した棒金Ｃを棒金収納庫４に戻せば、棒金収納庫４から棒金Ｃを取り出す前の状態に戻るので、警告表示や警告音が消え、棒金収納庫４から新たに棒金Ｃを取り出すことができる。
【００４１】
一方、取り出した棒金Ｃをそのまま釣銭機３に補充する場合には、表示部２２に表示された確認を意味する「はい」などを表示する入力部（タッチパネル）２３に触れることにより、その旨を入力部２３から入力すればよい。すると、警告表示や警告音が消える。これにより、棒金収納庫４から取り出された棒金（金種）と補充硬貨特定手段２１Ｂが特定した硬貨（金種）とが異なる場合でも、硬貨の補充を強行できる。また、事前に表示部に表示された「警告無効」などの表示に触れることにより、その旨を入力部２３から入力し、警告表示や警告音を無効にしてから棒金Ｃを棒金収納庫４から取り出すこともできる。
【００４２】
図９は、図１および図２に示したレジスタシステムにおける硬貨の回収制御を示すシーケンス図である。
【００４３】
図９に示すように、釣銭機３が管理する硬貨の枚数があらかじめ定めた枚数よりも多くなると、釣銭管理手段３１Ａは、硬貨の回収が必要であると判断し、硬貨の回収を促し、回収が必要であると判断した硬貨（金種）を表示部３２に表示するとともに、ＰＯＳレジスタ２に通知する。
【００４４】
釣銭機３からＰＯＳレジスタ２に回収が必要であると判断した硬貨が通知されると、ＰＯＳレジスタ２は、回収が必要であると判断した硬貨と硬貨の回収を促す表示を表示部２２に表示する（図１０参照）。ここで、レジ担当者が、通知された硬貨（釣銭機３が回収を必要とする硬貨）、あるいは回収候補となる硬貨の表示に触れることにより、入力部２３からＰＯＳレジスタ２に回収する硬貨を入力すると、回収硬貨特定手段２１Ｃは、釣銭機３から回収する硬貨（金種）を特定する。
【００４５】
回収硬貨特定手段２１Ｃが釣銭機３から回収する硬貨を特定すると、ＰＯＳレジスタ２は、回収硬貨特定手段２１Ｃが特定した硬貨（金種）と釣銭機３から通知された金種を照合する。回収硬貨特定手段２１Ｃが特定した硬貨と釣銭機３から通知された金種とが一致する場合には、回収する硬貨の枚数の特定が可能となる。ここで、レジ担当者がＰＯＳレジスタ２を操作することにより、回収枚数を特定すると、ＰＯＳレジスタ２は、釣銭機３に回収指令を通知し、釣銭機３は、特定された硬貨を特定された枚数だけ釣銭口に払い出す（回収）。
【００４６】
一方、回収硬貨特定手段２１Ｃが特定した硬貨と釣銭機３から通知された金種とが異なる場合には、ＰＯＳレジスタ２が表示部２２にその旨（警告表示）を表示するとともに、スピーカやブザーからその旨を警告する音（警告音）を鳴らす（図１１参照）。
【００４７】
このとき、表示部２２に表示された取り消しを意味する「いいえ」などの表示に触れることにより、その旨を入力部２３から入力すれば、元の表示（回収が必要であると判断した硬貨と硬貨の回収を促す表示）に戻るので、警告表示や警告音が消え、回収する硬貨の再入力が可能になる。
【００４８】
一方、入力した硬貨をそのまま釣銭機３から回収する場合には、表示部２２に表示された確認を意味する「はい」などの表示に触れることにより、その旨を入力部２３から入力すればよい。すると、警告表示や警告音が消え、回収する硬貨の枚数の特定が可能となる。ここで、レジ担当者がＰＯＳレジスタ２を操作することにより、回収枚数を特定すると、ＰＯＳレジスタ２は、釣銭機３に回収指令を通知し、特定された硬貨を特定された枚数だけ釣銭口に払い出す（回収）。
【００４９】
上述した本発明の実施の形態であるレジスタシステム１は、ＰＯＳレジスタ２の制御部２１に設けた補充硬貨特定手段２１Ｂが特定した硬貨（金種）と棒金収納庫４の制御部４１に設けた棒金特定手段４１Ｂが特定した棒金（金種）とが異なる場合に、ＰＯＳレジスタ２の表示部２２にその旨（警告表示）を表示したり、スピーカやブザーでその旨の音（警告音）を鳴らしたりするので、釣銭機３に補充する硬貨の間違いを防ぐことができる。
【００５０】
また、釣銭機３から通知された硬貨（釣銭機３が回収を必要とする硬貨（釣銭機３の制御部３１に設けた釣銭管理手段３１Ａが硬貨の回収が必要であると判断した硬貨））とＰＯＳレジスタ２の制御部２１に設けた回収硬貨特定手段２１Ｃが特定した硬貨とが異なる場合に、ＰＯＳレジスタ２の表示部２２にその旨（警告表示）を表示したり、スピーカやブザーでその旨の音（警告音）を鳴らしたりするので、釣銭機３から回収する硬貨の間違いを防ぐことができる。
【００５１】
［変形例］
上述した本発明の実施の形態であるレジスタシステム１は、ＰＯＳレジスタ２の制御部２１に設けた補充硬貨特定手段２１Ｂが特定した硬貨（金種）と棒金収納庫４の制御部４１に設けた棒金特定手段４１Ｂが特定した棒金（金種）とが異なる場合に、ＰＯＳレジスタ２の表示部２２にその旨（警告表示）を表示したり、スピーカやブザーでその旨の音（警告音）を鳴らしたりするが、釣銭機３に設けた補充硬貨特定手段３１Ｂが特定した硬貨（金種）と棒金収納庫４の制御部４１に設けた棒金特定手段４１Ｂが特定した棒金（金種）とが異なる場合に、釣銭機３の表示部３２にその旨（警告表示）を表示したり、スピーカやブザーでその旨の音（警告音）を鳴らしたりする釣銭機システムとしてもよい。
【００５２】
また、釣銭機３の制御部３１に設けた回収硬貨特定手段３１Ｃが特定した硬貨と釣銭機３の入力部３３から入力された回収硬貨とが異なる場合に、釣銭機３の表示部３２にその旨（警告表示）を表示したり、スピーカやブザーでその旨（警告音）を鳴らしたりする釣銭機システムとしてもよい。
【００５３】
また、上述した棒金特定手段４１Ｂは、棒金監視手段４１Ａが監視する棒金の本数が少なくなった場合に少なくなった棒金の金種を特定するものとしたが、上述したＰＯＳレジスタ２の補充硬貨特定手段２１Ｂ、あるいは、釣銭機３の補充硬貨特定手段３１Ｂが金種を特定した後に、棒金監視手段４１Ａが監視する棒金の本数が、金種を特定する前よりも少なくなった場合に、釣銭機３への補充のために棒金Ｃを取り出したと判断し、少なくなった棒金の金種を特定するものとしてもよい。
【００５４】
また、棒金収納庫４の筐体５１から抽斗５２が引き出された後に、棒金監視手段４１Ａが監視する棒金の本数が、抽斗５２の引き出し前よりも少なくなった場合に、釣銭機３への補充のために棒金Ｃを取り出したと判断し、少なくなった棒金の金種を特定するものとしてもよい。
【００５５】
［実施の形態２］
図１２は、本発明の実施の形態であるレジスタシステムを示す斜視図であり、図１３は、図１２に示したレジスタシステムの制御構成を示すブロック図である。本発明の実施の形態であるレジスタシステム１０１は、スーパーマーケットやコンビニエンスストアなどの店舗に設置され、販売時点管理（ＰＯＳ（Point  Of  sales））、釣銭の管理や棒金の管理に供される。図１２および図１３に示すように、本発明の実施の形態であるレジスタシステム１０１は、ＰＯＳレジスタ１０２、釣銭機１０３、棒金収納庫１０４を備えて構成され、図１２に示すように、棒金収納庫１０４の上に、釣銭機１０３、ＰＯＳレジスタ１０２の順に搭載される。
【００５６】
ＰＯＳレジスタ１０２は、レジ担当者の操作により、商品のコードを読み取り、商品のコード、数量を登録する一方、商品のコードから商品のアイテム、商品の値段を呼び出し、請求金額と買い物客から受け取ったお金との差額（釣銭額）とを算出するもので、制御部１２１、表示部１２２、入力部（タッチパネル）１２３、通信部１２４を備えている。そして、ＰＯＳレジスタ１０２は、これに付随する金額表示器１０９に算出した請求金額を表示するとともに、釣銭額を表示する。これにより、買い物客は請求金額と釣銭額とを知ることができる。また、ここで説明するＰＯＳレジスタ１０２の制御部１２１は、補充硬貨特定手段１２１Ｂを備えている。
【００５７】
補充硬貨特定手段１２１Ｂは、釣銭機１０３に補充するべき硬貨（金種）を特定するためのもので、補充する硬貨は、釣銭機１０３から通知された硬貨（釣銭機１０３が補充を必要とする硬貨）のほか、本実施の形態であるレジスタシステム１０１が取り扱う硬貨が候補となる。本実施の形態であるレジスタシステム１０１は、レジスタシステム１０１を設置する店舗の設置環境により、１円硬貨、５円硬貨、５０円硬貨、１００円硬貨、５００円硬貨を取り扱うので、１００円硬貨の補充を必要とする場合には、１００円硬貨のほか、１円硬貨、５円硬貨、１０円硬貨、５０円硬貨、５００円硬貨が補充候補となる。なお、レジスタシステム１０１を設置する店舗の設置環境により、１０円硬貨、５０円硬貨、１００円硬貨、５００円硬貨を取り扱う場合において、１００円硬貨の補充を必要とする場合には、１００円硬貨の補充を必要とする場合には、１００円硬貨のほか、１０円硬貨、５０円硬貨、５００円硬貨が補充候補となる。
【００５８】
そして、釣銭機１０３からＰＯＳレジスタ１０２に補充を必要とする硬貨（金種）が通知された場合などにその硬貨（金種）や補充候補となる硬貨（金種）が表示部１２２に表示され、補充硬貨特定手段１２１Ｂは、釣銭機１０３から通知された硬貨（釣銭機１０３が補充を必要とする硬貨）、あるいは、補充候補となる硬貨の表示に触れることにより、入力部１２３からＰＯＳレジスタ１０２に補充する硬貨が入力される。これにより、補充硬貨特定手段１２１Ｂは、釣銭機１０３に補充するべき硬貨（金種）を特定する。
【００５９】
釣銭機１０３は、レジ担当者の操作により、買い物客から受け取った代金が投入される一方、釣銭となる硬貨を払い出すもので、制御部１３１、表示部１３２、入力部１３３、通信部１３４を備えている。そして、釣銭機１０３は、投入された代金（入金額）、払い出された釣銭（出金額）、有り高を管理する。これにより、レジ担当者は、硬貨を数えることなく釣銭を出金できる。また、ここで説明する釣銭機１０３の制御部１３１は、釣銭管理手段１３１Ａ、補充硬貨特定手段１３１Ｂを備えている。
【００６０】
釣銭管理手段１３１Ａは、釣銭となる硬貨の枚数を金種ごとに管理するためのもので、投入された代金を構成する硬貨の金種および枚数と、払い出された釣銭を構成する硬貨の金種および枚数を管理する。
【００６１】
補充硬貨特定手段１３１Ｂは、釣銭機１０３に補充するべき硬貨（金種）を特定するためのもので、釣銭管理手段１３１Ａが管理する硬貨の枚数があらかじめ定めた枚数よりも少なくなった硬貨（金種）のほか、本実施の形態であるレジスタシステム１０１が取り扱う硬貨が候補となる。そして、釣銭管理手段１３１Ａが管理する硬貨の枚数があらかじめ定めた枚数より少なくなった場合などにその硬貨（金種）が表示部１３２に表示され、補充硬貨特定手段１３１Ｂは、あらかじめ定めた枚数よりも少なくなった硬貨（金種）、あるいは、入力部１３３から入力された硬貨（金種）を補充する硬貨に特定する。
【００６２】
棒金収納庫１０４は、釣銭機１０３に補充する硬貨（棒金）を収納するためのもので、筐体１５１と、筐体１５１から引き出し可能に収納された抽斗１５２と、抽斗１５２に搭載された収納トレイ１５３とを備えている。収納トレイ１５３は、棒金Ｃを収納するためのもので、その上面には棒金Ｃを収納するための収納溝１５４が設けてある。なお、棒金Ｃは、同一種類の硬貨をあらかじめ定めた枚数だけ積層して包装し、一つの取り扱い単位として構成したものである。本実施の形態では、１円硬貨、５円硬貨、１０円硬貨、５０円硬貨、１００円硬貨、５００円硬貨をそれぞれ所定の枚数ずつ包装した棒金Ｃを収納対象とする。また、ここで説明する棒金収納庫１０４は、制御部１４１、識別手段１４３、通信部１４４、取出制限手段１４５を備えており、さらに、制御部１４１は、棒金管理手段１４１Ａを備えている。
【００６３】
識別手段１４３は、収納溝１５４ごとに棒金の有無、収納した棒金の金種を識別するもので、棒金を収納する収納溝１５４ごとに設けてある。これにより、識別手段１４３は、収納溝１５４ごとに、棒金の有無、収納した棒金の金種を識別する。
【００６４】
取出制限手段１４５は、棒金Ｃの取り出しを制限するもので、棒金Ｃを収納する収納溝１５４ごと、あるいは、金種ごとに設けてある。これにより、取出制限手段１４５は、収納溝１５４ごと、あるいは、金種ごとに棒金Ｃの取り出しを制限し、また、棒金Ｃの取り出しを許容する。
【００６５】
棒金管理手段１４１Ａは、収納トレイ１５３に収納されている棒金の金種および本数を管理するためのもので、識別手段１４３が識別した棒金の有無、収納した棒金の金種に基づいて、収納されている棒金の金種および本数を管理する。
【００６６】
図１４は、図１２および図１３に示したレジスタシステムにおける硬貨の補充制御手順を示すシーケンス図である。
【００６７】
図１４に示すように、釣銭機１０３が管理する硬貨の枚数があらかじめ定めた枚数よりも少なくなると、釣銭管理手段１３１Ａは、釣銭の補充が必要であると判断し、釣銭の補充を促し、補充が必要であると判断した硬貨（金種）を表示部１３２に表示するとともに、ＰＯＳレジスタ１０２に通知する。
【００６８】
釣銭機１０３からＰＯＳレジスタ１０２に補充が必要であると判断した硬貨が通知されると、ＰＯＳレジスタ１０２は、補充が必要であると判断した硬貨と釣銭の補充を促す表示を表示部１２２に表示する（図１５，図１９参照）。ここで、レジ担当者が、通知された硬貨（釣銭機１０３が補充を必要とする硬貨）、あるいは補充候補となる硬貨の表示に触れることにより、入力部１２３からＰＯＳレジスタ１０２に補充する硬貨を入力すると、補充硬貨特定手段１２１Ｂは、釣銭機１０３に補充する硬貨（金種）を特定する。なお、上述したように、本実施の形態であるレジスタシステム１０１は、レジスタシステム１０１を設置する店舗の設置環境により、１円硬貨、５円硬貨、１０円硬貨、５０円硬貨、１００円硬貨、５００円硬貨を取り扱うので、１００円硬貨の補充を必要とする場合に、補充候補となるのは、１００円硬貨のほか、１円硬貨、５円硬貨、１０円硬貨、５０円硬貨、５００円硬貨である。
【００６９】
補充硬貨特定手段１２１Ｂが釣銭機１０３に補充する硬貨を特定すると、ＰＯＳレジスタ１０２は釣銭機１０３に補充指令を出力し、これを受けて釣銭機１０３は棒金収納庫１０４に開放指令を出力する。これにより、棒金収納庫１０４の抽斗１５２は引き出し可能となり（図１６参照）、抽斗１５２が引き出されると、開放指令に含まれる金種（補充が必要であると判断した硬貨の金種）の棒金Ｃが収納された収納溝１５４の取出制限手段１４５を解放し、それ以外の収納溝１５４の取出制限手段１４５は棒金Ｃの取り出しを制限する（図１７参照）。これにより、レジ担当者は、釣銭機１０３に補充する棒金Ｃを収納溝１５４から取り出すことができる（図１８，図２０参照）。
【００７０】
上述した本発明の実施の形態であるレジスタシステム１０１は、ＰＯＳレジスタ１０２から釣銭機１０３に補充指令を出力し、これを受けて釣銭機１０３が棒金収納庫１０４に出力する開放指令に含まれる金種（補充が必要であると判断した硬貨の金種）の棒金が収納された収納溝１５４の取出制限手段１４５を解放し、それ以外の収納溝１５４の取出制限手段１４５は棒金Ｃの取り出しを制限するので、レジ担当者は、補充する硬貨を間違えて取り出すことがない。
【００７１】
［変形例］
上述した本発明の実施の形態であるレジスタシステム１０１は、ＰＯＳレジスタ１０２から釣銭機１０３に補充指令を出力し、これを受けて釣銭機１０３が棒金収納庫１０４に開放指令を出力するものとしたが、ＰＯＳレジスタ１０２が関与することなく、釣銭機１０３から棒金収納庫１０４に開放指令を出力する釣銭機システムとしてもよい。この場合には、釣銭機１０３の制御部１３１に設けた補充硬貨特定手段１３１Ｂが特定した硬貨（金種）が開放指令に含まれる。
【００７２】
［取出制限手段の形態１］
図２１〜図２５は、取出制限手段の形態を示す図である。取出制限手段１４５は、上述したように、収納溝１５４に収納した棒金Ｃの取り出しを制限するもので、図２１〜図２５に示す取出制限手段１４５は、棒金ガード１６１を備えている。棒金ガード１６１は、図２１〜図２３に示すように、収納溝１５４に収納された棒金Ｃの一部を拘束することにより、収納溝１５４に収納した棒金Ｃの取り出しを制限するもので、軸まわりに回動するように設けてある。また、棒金ガード１６１と一体に回転するようにウォームギア１６２が設けてあり、モータ１６３の出力軸に取り付けたウォーム１６４に噛合する。これにより、モータ１６３を駆動すれば、棒金ガード１６１は収納溝１５４に対して回動し、収納溝１５４を開閉する。
【００７３】
したがって、図２１〜図２３に示すように、棒金ガード１６１を閉鎖すると、棒金Ｃの取り出しが制限され、図２４および図２５に示すように、棒金ガード１６１を開放すると、棒金Ｃの取り出しが許容される。
【００７４】
なお、棒金ガード１６１は、収納溝１５４ごとに設けてもよいが、同一金種の棒金を収納する収納溝１５４をまとめて開閉するように設けてもよい（図２０参照）。また、上述した棒金ガード１６１は、モータ１６３とギア１６２，１６４との組み合わせにより収納溝１５４を開閉するように構成したが、これに限られるものではなく、たとえば、ソレノイドとリンクの組み合わせにより棒金ガード１６１が収納溝１５４を開閉するように構成してもよい。
【００７５】
また、棒金収納庫１０４に棒金Ｃを補充する際は、ＰＯＳレジスタ１０２から釣銭機１０３に補充指令を出力し、これを受けて釣銭機１０３が棒金収納庫１０４に開放指令を出力することにより、棒金ガード１６１に収納溝１５４を開放させればよい。これにより、棒金収納庫１０４に棒金Ｃの補充が可能になる。なお、抽斗１５２が引き出された場合に、棒金Ｃが収納されていない収納溝１５４に設けた棒金ガード１６１を開放するように制御してもよい。このように制御すると、ＰＯＳレジスタ１０２や釣銭機１０３から棒金収納庫１０４に補充指令を出力する必要がない。また、棒金ガード１６１が同一金種の棒金を収納する収納溝１５４をまとめて開閉する場合には、まとめた金種の棒金が空になった場合にのみ開放するように制御してもよい。
【００７６】
［取出制限手段の形態２］
図２６〜図２８は、取出制限手段の形態を示す図である。取出制限手段１４５は、上述したように、収納溝１５４に収納した棒金Ｃの取り出しを制限するもので、図２６〜２８に示す取出制限手段１４５は、棒金ガード１７１を備えている。棒金ガード１７１は、図２６〜図２８に示すように、収納溝１５４に収納された棒金Ｃの一部を拘束することにより、収納溝１５４に収納した棒金Ｃの取り出しを制限するもので、半円筒状に設けられた収納溝１５４の軸まわりに回動するように設けてある。また、棒金ガード１７１と一体に回転するようにギア１７２が設けてあり、モータ１７３の出力軸に取り付けたギア１７４に噛合する。これにより、モータ１７３を駆動すれば、棒金ガード１７１は収納溝１５４の軸まわりに回動し、収納溝１５４を開閉する。
【００７７】
したがって、図２６に示すように、棒金ガード１７１を閉鎖すると、棒金Ｃの取り出しが制限され、図２７および図２８に示すように、棒金ガード１７１を開放すると、棒金Ｃの取り出しが許容される。
【００７８】
なお、棒金ガード１７１は、モータ１７３とギア１７２，１７４の組み合わせにより収納溝を開閉するように構成したが、これに限られるものではなく、たとえば、ソレノイドとリンクの組み合わせにより棒金ガード１７１が収納溝１５４を開閉するように構成してもよい。
【００７９】
また、棒金収納庫１０４に棒金Ｃを補充する際は、ＰＯＳレジスタ１０２から釣銭機１０３に補充指令を出力し、これを受けて釣銭機１０３が棒金収納庫１０４に開放指令を出力することにより、棒金ガード１７１に収納溝１５４を開放させればよい。これにより、棒金収納庫１０４に棒金Ｃの補充が可能になる。
【００８０】
［取出制限手段の形態３］
図２９〜図３１は、取出制限手段の形態を示す図である。取出制限手段１４５は、上述したように、収納溝１５４に収納した棒金Ｃの取り出しを制限するもので、図２９〜３１に示す取出制限手段１４５は、フック１８１を備えている。フック１８１は、図２９に示すように、棒金をラッピングした端面（以下「ラップ端面」という）を係止することにより、収納溝１５４に収納した棒金Ｃの取り出しを制限するもので、円筒状に形成した収納溝１５４の軸方向端部に収納溝１５４の底面から突出するように設けてある。フック１８１は、軸１８２まわりに回動可能であって、モータ（図示せず）やソレノイド（図示せず）により回動する。これにより、モータやソレノイドを駆動すれば、フック１８１は軸１８２まわりに回動し、先端１８１Ａがラップ端面ＣＡを係止し、あるいは、先端１８１Ａがラップ端面から離脱する。
【００８１】
したがって、図２９に示すように、フック１８１の先端１８１Ａがラップ端面を係止すると、棒金Ｃの取り出しが制限され、図３０および図３１に示すように、フック１８１の先端１８１Ａがラップ端面ＣＡから離脱すると、棒金Ｃの取り出しが許容される。
【００８２】
なお、棒金収納庫１０４に棒金Ｃを補充する際は、ＰＯＳレジスタ１０２から釣銭機１０３に補充指令を出力し、これを受けて釣銭機１０３が棒金収納庫１０４に開放指令を出力することにより、フック１８１をラップ端面から離脱する方向に回動させればよい。これにより、棒金収納庫１０４に棒金Ｃの補充が可能になる。
【００８３】
また、フック１８１がラップ端面を係止する方向に付勢し、ソレノイドでフック１８１をラップ端面ＣＡから離脱する方向に回動させるように構成した場合には、棒金Ｃを収納溝１５４に押し込むことにより、フック１８１を回動させれば、収納溝１５４に棒金Ｃを補充できる。
【００８４】
［実施の形態３］
図３２は、本発明の実施の形態である棒金収納庫を示す斜視図である。本発明の実施の形態である棒金収納庫２０４は、上述した実施の形態であるレジスタシステム１，１０１の棒金収納庫４，１０４を構成する。
【００８５】
図３２に示すように、本発明の実施の形態である棒金収納庫２０４は、釣銭機３，１０３に補充する硬貨（棒金）収納するためのもので、筐体２５１と、筐体２５１に引き出し可能に収納された抽斗２５２と、抽斗２５２に搭載された収納トレイ２５３とを備えている。収納トレイ２５３は、棒金Ｃを収納するためのもので、プラスチックなどの非磁性体で形成してある。また、収納トレイ２５３の上面には、棒金Ｃを収納するための収納溝２５４が設けてある。なお、棒金Ｃは、同一種類の硬貨をあらかじめ定めた枚数だけ積層して包装し、一つの取り扱い単位として構成したものである。本実施の形態では、１円硬貨、５円硬貨、１０円硬貨、５０円硬貨、１００円硬貨、５００円硬貨をそれぞれ所定の枚数ずつ包装した棒金Ｃを収納対象とする。
【００８６】
本発明の実施の形態である棒金収納庫２０４の収納トレイ２５３に設けた収納溝２５４は、収納対象とする棒金Ｃのすべてが収納可能であって、金種ごとに専用の収納溝を設けるものではない。したがって、すべての収納溝２５４が同一形状、同一寸法で形成してあり、どの収納溝２５４にも収納対象とする、１円硬貨、５円硬貨、１０円硬貨、５０円硬貨、１００円硬貨、５００円硬貨の棒金Ｃが収納可能である。
【００８７】
［収納溝の形態１］
図３３および図３４は、図３２に示した収納溝の形態１を示す断面図である。収納溝２５４は、上述したように、棒金Ｃを収納するためのもので、図３３および図３４に示す収納溝２６１は、抽斗２５２の引出方向に沿って設けてある。収納溝２６１は、凹状に形成してあり、その長手方向は、最大長の棒金Ｃが収納できる大きさに形成してある。
【００８８】
図３３および図３４に示すように、収納溝２６１は、一対の側壁２６１Ａ，２６１Ｂ、傾斜壁２６１Ｃ、および底壁２６１Ｄを有している。一対の側壁２６１Ａ，２６１Ｂは、収納トレイ２６０の上面に対して垂直に形成してある。一対の側壁２６１Ａ，２６１Ｂの間隔は、収納対象となる棒金Ｃのうち、最大径の棒金Ｃが収納できる大きさに形成してある。本形態では、５００円硬貨が収納できる大きさに形成してある。傾斜壁２６１Ｃは、収納溝２６１に収納した棒金Ｃを一方の側壁２６１Ａに押し付けるためのもので、底壁２６１Ｄに向けて収納溝２６１の幅が狭くなるように、傾けて設けてある。これにより、収納溝２６１に収納した棒金Ｃは、一方の側壁２６１Ａに押し付けられ、棒金Ｃの中心軸の高さ位置は棒金Ｃの金種によって変動する。底壁２６１Ｄは、収納溝２６１に収納された棒金Ｃが底づきしない位置に設けてある。これにより、収納溝２６１に収納された棒金Ｃは、一方の側壁２６１Ａと傾斜壁２６１Ｃとに必ず支持される。
【００８９】
また、傾斜壁２６１Ｃの裏側には、出力手段２６２が設けてある。出力手段２６２は、収納溝２６１ごとに設けられ、収納溝２６１に棒金Ｃが収納された場合に収納された棒金Ｃの金種（種類）によって出力が変動するもので、棒金収納庫２０４に設けた識別手段（図示せず）に接続してある。識別手段は、収納溝２６１ごとに棒金Ｃが収納されているか否か、収納溝２６１に棒金が収納されている場合に、その棒金がいかなる金種であるかを識別するためのもので、出力手段２６２の出力に基づいて、収納溝２６１ごとに棒金Ｃが収納されているか否か、収納溝２６１に棒金Ｃが収納されている場合に、その棒金Ｃがいかなる金種であるかを識別する。
【００９０】
また、本発明の実施の形態である出力手段２６２は、収納溝２６１に収納される、材質の似た棒金のうち、最も大径の棒金が収納された場合に最大の出力が得られるように、傾斜壁２６１Ｃの裏側に設けてある。本形態では、５００円硬貨の棒金が収納された場合に最大の出力が得られるように設けてある。なお、最も大径の棒金が収納された場合に最大の出力が得られるように設けるのは、径の大きさが中程の棒金（たとえば、１００円の棒金）が収納された場合に最大の出力が得られるようにすると、その棒金よりも小さな径の棒金（たとえば、５０円の棒金）を収納した場合にも、その棒金よりも大きな径の棒金（たとえば、５００円）を収納した場合にも出力が小さくなり、棒金Ｃの金種を識別しにくくなることによる。
【００９１】
出力手段２６２は、たとえば、収納溝２６１に収納された棒金の材質、棒金までの距離によって出力が変動する渦電流方式のコイルセンサであり、棒金収納庫２０４に設けた識別手段は、得られた出力値とあらかじめ設定した基準出力値とを比較することにより、その棒金Ｃがいかなる種類のものであるか識別する。
【００９２】
上述した棒金収納庫２０４の収納溝２６１は、収納する棒金の金種ごとに専用の収納溝とせずに、収納するすべての金種の棒金Ｃが収納可能な同一形状に形成してあるので、任意の棒金Ｃを任意の収納溝２６１に収納できる。したがって、特定金種の棒金の収納数を少なくし、特定金種の棒金の収納数を増やすことができる。たとえば、１円硬貨や５円硬貨を釣銭として払い出すことがない店舗では、１円硬貨や５円硬貨の棒金の収納をなくし、１０円硬貨や１００円硬貨の棒金の収納を増やすことができる。このように、レジスタシステム１，１０１の設置環境に柔軟に対応できる。また、出力手段２６２は、収納溝２６１に収納された棒金の材質、棒金までの距離によって出力が変動する渦電流式のコイルセンサで、収納溝２６１に収納される、材質の似た棒金のうち、最も大径の棒金が収納された場合に最大の出力が得られるように、傾斜壁２６１Ｃの裏側に設けたので、棒金Ｃの金種を確実に識別できる。
【００９３】
［変形例］
上述した形態では、出力手段２６２は、収納溝２６１に収納される、材質の似た棒金のうち、最も大径の棒金が収納された場合に最大の出力が得られるように設けたが、最も小径の棒金が収納された場合に最大の出力が得られるように設けてもよい。また、出力手段２６２は、傾斜壁２６１Ｃの裏側に設けたが、棒金を支持する一方の側壁２６１Ａの裏側に設けてもよい。さらに、出力手段２６２は、一つに限られるものではなく、一つの収納溝２６１に対して複数設けてもよい。
【００９４】
［収納溝の形態２］
図３５は、図３２に示した収納溝の形態２を示す断面図である。収納溝２５４は、上述したように、棒金Ｃを収納するためのもので、図３５に示す収納溝２７１は、抽斗２５２の引出方向に沿って設けてある。収納溝２７１は、凹状に形成してあり、その長手方向は、最大長の棒金Ｃが収納できる大きさに形成してある。
【００９５】
図３５に示すように、収納溝２７１は、一対の側壁２７１Ａ，２７１Ｂ、一対の傾斜壁２７１Ｃ，２７１Ｄ、および底壁２７１Ｅを有している。一対の側壁２７１Ａ，２７１Ｂは、収納トレイ２７０の上面に対して垂直に形成してある。一対の側壁２７１Ａ，２７１Ｂの間隔は、収納対象となる棒金Ｃのうち、最大径の棒金Ｃが収納できる大きさに形成してある。本形態では、５００円硬貨が収納できる大きさに形成してある。一対の傾斜壁２７１Ｃ，２７１Ｄは、収納溝２７１に収納した棒金Ｃを二点で支持するためのもので、底壁２７１Ｅに向けて収納溝２７１の幅が狭くなるように、傾けて設けてある。これにより、収納溝２７１に収納された棒金Ｃは、一対の傾斜壁２７１Ｃ，２７１Ｄで支持され、棒金Ｃの中心軸の高さ位置が棒金Ｃの金種によって変動する。底壁２７１Ｅは、収納溝２７１に収納された硬貨が底づきしない位置に設けてある。これにより、収納溝２７１に収納された棒金は、一対の傾斜壁２７１Ｃ，２７１Ｄに必ず支持される。
【００９６】
また、一方の傾斜壁２７１Ｄの裏側には、出力手段２７２が設けてある。出力手段２７２は、収納溝２７１ごとに設けられ、収納溝２７１に棒金Ｃが収納された場合に収納された棒金の金種（種類）によって出力が変動するもので、棒金収納庫２０４に設けた識別手段（図示せず）に接続してある。識別手段は、収納溝２７１ごとに棒金が収納されているか否か、収納溝２７１に棒金が収納されている場合に、その棒金がいかなる金種であるかを識別するためのもので、出力手段２７２の出力に基づいて、収納溝２７１ごとに棒金Ｃが収納されているか否か、収納溝２７１に棒金Ｃが収納されている場合に、その棒金Ｃがいかなる金種であるかを識別する。
【００９７】
また、本発明の実施の形態である出力手段２７２は、収納溝２７１に収納される、材質の似た棒金のうち、最も大径の棒金Ｃが収納された場合に最大の出力が得られるように、傾斜壁２７１Ｄの裏側に設けてある。本形態では、５００円硬貨の棒金が収納された場合に最大の出力が得られるように設けてある。なお、最も大径の棒金が収納された場合に最大の出力が得られるように設けるのは、径の大きさが中程の棒金（たとえば、１００円の棒金）が収納された場合に最大の出力が得られるようにすると、その棒金よりも小さな径の棒金（たとえば、５０円の棒金）を収納した場合にも、その棒金よりも大きな径の棒金（たとえば、５００円）を収納した場合にも出力が小さくなり、棒金Ｃの金種を識別しにくくなることによる。
【００９８】
出力手段２７２は、たとえば、収納溝２７１に収納された棒金の材質、棒金までの距離によって出力が変動する渦電流方式のコイルセンサであり、棒金収納庫２０４に設けた識別手段は、得られた出力値とあらかじめ設定した基準出力値とを比較することにより、その棒金Ｃがいかなる種類のものであるか識別する。
【００９９】
上述した棒金収納庫２０４の収納溝２７１は、収納する棒金Ｃの金種ごとに専用の収納溝とせずに、収納するすべての金種の棒金Ｃが収納可能な同一形状に形成してあるので、任意の棒金を任意の収納溝２７１に収納できる。したがって、特定金種の棒金の収納数を少なくし、特定金種の棒金の収納数を増やすことができる。たとえば、１円硬貨や５円硬貨を釣銭として払い出すことがない店舗では、１円硬貨や５円硬貨の棒金の収納をなくし、１０円硬貨や１００円硬貨の棒金の収納を増やすことができる。このように、レジスタシステム１，１０１の設置環境に柔軟に対応できる。また、出力手段２７２は、収納溝２７１に収納された棒金の材質、棒金までの距離によって出力が変動する渦電流式のコイルセンサで、収納溝２７１に収納される、材質の似た棒金のうち、最も大径の棒金が収納された場合に最大の出力が得られるように、傾斜壁２７１Ｃ，２７１Ｄの裏側に設けたので、棒金Ｃの金種を確実に識別できる。
【０１００】
［変形例］
上述した形態では、出力手段２７２は、収納溝２７１に収納される、材質の似た棒金Ｃのうち、最も大径の棒金Ｃが収納された場合に最大の出力が得られるように設けたが、最も小径の棒金Ｃが収納された場合に最大の出力が得られるように設けてもよい。また、出力手段２７２は、一つに限られるものではなく、一つの収納溝２７１に対して複数設けてもよい。
【０１０１】
上述した本発明の実施の形態を要約すると、
（１）
上面に棒金を収納する収納溝が設けられた収納トレイと、前記収納溝ごとに設けられ、収納溝に棒金が収納された場合に収納された棒金によって出力が変動する出力手段と、該出力手段の出力から収納溝ごとに棒金が収納されているか否か、収納溝に棒金が収納されている場合にその棒金がいかなる種類のものであるかを識別する識別手段とを備えた棒金収納庫において、
前記収納溝は、収納するすべての金種の棒金が収納可能な同一形状に形成され、かつ、収納された棒金を一方の側壁に押し付けるように、少なくとも一つの傾斜壁が設けられ、
かつ、
前記出力手段は、前記収納溝に収納される、材質の似た棒金のうち、最も大径の棒金、あるいは、最も小径の棒金が収納された場合に最大となる出力が得られるように、傾斜壁の裏側に設けられたことを特徴とする棒金収納庫。
（２）
前記出力手段は、収納溝に収納した棒金の金種、棒金までの距離によって出力が変動する渦電流式のコイルセンサであることを特徴とする（１）に記載の棒金収納庫。
【０１０２】
［実施の形態４］
図３６は、本発明の実施の形態である棒金収納庫を示す斜視図である。本発明の実施の形態である棒金収納庫３０４は、上述した実施の形態であるレジスタシステム１の棒金収納庫４を構成する。
【０１０３】
図３６に示すように、本発明の実施の形態である棒金収納庫３０４は、釣銭機３に補充する硬貨を収納するためのもので、筐体３５１と、筐体３５１に引き出し可能に収納された抽斗３５２と、抽斗３５２に搭載された収納トレイ３５３とを備えている。収納トレイ３５３は、棒金Ｃを収納するためのもので、プラスチックなどの非磁性体で形成してある。また、収納トレイ３５３の上面には、棒金Ｃを収納するための収納溝３５４が設けてある。なお、棒金Ｃは、同一種類の硬貨をあらかじめ定めた枚数だけ積層して包装し、一つの取り扱い単位として構成したものである。本実施の形態では、１円硬貨、５円硬貨、１０円硬貨、５０円硬貨、１００円硬貨、５００円硬貨をそれぞれ所定の枚数ずつ包装した棒金を収納対象とする。
【０１０４】
本発明の実施の形態である棒金収納庫３０４の収納トレイ３５３に設けた収納溝３５４は、抽斗３５２の引出方向に沿って設けてあり、抽斗３５２と収納トレイ３５３との間には、押上手段３０６が設けてある。押上手段３０６は、収納溝３５４から棒金Ｃを取り出しやすくするためのもので、筐体３５１から抽斗３５２が引き出された場合に収納溝３５４に収納された棒金Ｃの長手方向一側（本実施の形態では奥側）を押し上げる一方、筐体３５１に抽斗３５２を押し入れた場合に押し上げられた棒金Ｃを収納溝３５４に収納された状態に戻すように構成してある。
【０１０５】
図３７〜図３９に示すように、押上手段３０６は、レバー３６１とバネ３６２とを備えている。図３７に示すように、レバー３６１は、収納溝３５４に直交する軸３６３まわりに回動可能であって、その作用端部３６１Ａは、収納溝３５４の底、長手方向一側（本実施の形態では奥側）に設けた矩形の穴３５３Ａから突出可能である。また、軸３６３を境に作用端部３６１Ａと反対側となる押圧端部３６１Ｂは、抽斗３５２の底から突出可能であって、図３８に示すように、押圧端部３６１Ｂが抽斗３５２の底から突出した場合に、収納溝３５４の底に設けた矩形の穴３５３Ａから収納溝３５４の内側に作用端部３６１Ａが突出し、押圧端部３６１Ｂが筐体３５１に押圧され、押圧端部３６１Ｂが抽斗３５２の底から突出した状態よりも引き込まれた場合に、作用端部３６１Ａが収納溝３５４の底に設けた矩形の穴３５３Ａから収納溝３５４の外側に没入するように形成してある。
【０１０６】
バネ３６２は、収納トレイ３５３と押圧端部３６１Ｂとの間に配置され、作用端部３６１Ａが収納溝３５４の内側に突出する方向（図３７〜図３９において時計方向）に付勢する。したがって、図３８に示すように、筐体３５１から抽斗３５２が引き出された場合には、バネ３６２の弾性復元力が押圧端部３６１Ｂに作用し、収納溝３５４の底に設けた矩形の穴３５３Ａからレバー３６１の作用端部３６１Ａが突出する。これにより、レバー３６１は、収納された棒金Ｃの長手方向奥側を押し上げる。一方、図３９に示すように、レバー３６１の作用端部３６１Ａが収納溝３５４の底に設けた矩形の穴３５３Ａから突出した状態から筐体３５１に抽斗３５２を押し入れると、抽斗３５２の底から下側に突出したレバー３６１の押圧端部３６１Ｂが筐体３５１に押圧され、レバー３６１は、バネ３６２の弾性復元力に抗して反時計方向に回動し、収納溝３５４の底に設けた矩形の穴３５３Ａから収納溝３５４の外側にレバー３６１の作用端部３６１Ａが没入する。これにより、押し上げられた棒金Ｃは元の状態（収納溝に収納された状態）に戻る（図３７参照）。
【０１０７】
上述した本発明の実施の形態である棒金収納庫３０４は、筐体３５１から抽斗３５２が引き出された場合に収納溝３５４に収納された棒金Ｃを押し上げるので、棒金Ｃの取り出しが容易になる。
【０１０８】
なお、上述した押上手段３０６は、一つの収納溝３５４に対して一つ設けてもよいが、収納トレイ３５３の幅方向に並列する、複数の収納溝３５４に収納した棒金Ｃを一つの押上手段（レバー）３０６で押し上げるものとしてもよい。また、上述した押上手段３０６は、レバー３６１とバネ３６２で構成したが、これに限られるものではなく、たとえば、収納溝を構成する収納壁の一部が押し上がるものであってもよい。
【０１０９】
上述した本発明の実施の形態を要約すると、
（１）
筐体と、該筐体に引き出し可能に収納され、上面に棒金を収納する収納溝が形成された抽斗とを備えた棒金収納庫において、
筐体から抽斗が引き出された場合に収納溝に収納された棒金を押し上げる一方、筐体に抽斗を押し入れた場合に押し上げられた棒金を元の状態に戻す押上手段を備えたことを特徴とする棒金収納庫。
（２）
前記収納溝は、前記抽斗の引出方向に沿って設けられ、
前記押上手段は、筐体から抽斗が引き出された場合に収納溝に突出する一方、筐体に抽斗を押し入れた場合に収納溝から没入するレバーを有することを特徴とする（１）に記載の棒金収納庫。
（３）
前記レバーは、抽斗の引出動作により収納溝に突出する一方、抽斗の押入動作により収納溝から没入することを特徴とする（２）に記載の棒金収納庫。
【０１１０】
［実施の形態５］
図４０は、本発明の実施の形態である棒金収納庫を示す斜視図であり、図４１は、図４０に示した棒金収納庫の内部構造を示す平面図である。また、図４２は、図４１に示した棒金収納庫において抽斗をわずかに飛び出させた状態を示す図であり、図４３は、図４１に示した棒金収納庫において抽斗を引き出した状態を示す図である。本発明の実施の形態である棒金収納庫４０４は、上述した実施の形態であるレジスタシステム１の棒金収納庫４を構成する。
【０１１１】
本発明の実施の形態である棒金収納庫４０４は、釣銭機３に補充する硬貨を収納するためのもので、図４０〜図４３に示すように、筐体４５１と、筐体４５１の前面から手前側に引き出し可能に配設された抽斗４５２とを備えている。筐体４５１は、前面が開口した直方体の箱状を成すもので、この筐体４５１には、その内部に左右対となる筐体側ガイド部材４５１Ａ（図４３参照）が設けてある。筐体側ガイド部材４５１Ａは、それぞれ筐体４５１の側壁内面に取り付けてある。
【０１１２】
図４０〜図４３に示すように、抽斗４５２は、筐体４５１に設けた左右対となる筐体側ガイド部材４５１Ａの間に挿入可能となる大きさに構成した箱体であり、上面全面が開口した直方体の箱状を成している。この抽斗４５２には、両側壁の外面にそれぞれ抽斗側ガイド部材４５２Ａ（図４３参照）が設けてある。抽斗側ガイド部材４５２Ａは、抽斗４５２の外面から外方に向けて突出したものである。それぞれの抽斗側ガイド部材４５２Ａは、筐体４５１に設けた筐体側ガイド部材４５１Ａに摺動自在に当接することにより、抽斗４５２を筐体４５１の前面に設けた開口から引き出し可能に支持している。
【０１１３】
図４１〜図４３に示すように、筐体４５１と抽斗４５２との間には、ロック機構４５３が設けてある。ロック機構４５３は、筐体４５１に対する抽斗４５２の引き出しを制限するものである。本実施の形態では、抽斗４５２の奥外に係止棒４５４を設ける一方、筐体４５１の内部奥側にフック（図示せず）とソレノイド４５５を設けることによって、ロック機構４５３を構成している。
【０１１４】
係止棒４５４は、抽斗４５２の奥外中央に取り付けられた棒状の部材であり、上端と下端とがそれぞれ抽斗４５２から突出した金具４５６に支持されている。フックは、係止溝を有する鉤状の部材であり、係止位置と開放位置との間を回転可能に支持され、係止位置で係止棒４５４を係止する一方、開放位置で係止棒４５４を開放する。これにより、筐体４５１に抽斗４５２を収納した状態で係止棒４５４がフックに係止され、筐体４５１に対する抽斗４５２の引き出しを制限する。
【０１１５】
ソレノイド４５５は、フックを係止位置から開放位置に回転させるもので、棒金収納庫４０４が接続された釣銭機３，１０３やＰＯＳレジスタ２，１０２からの指令により、フックを係止位置から開放位置に回転させる。これにより、係止棒４５４がフックから開放され、筐体４５１に対する抽斗４５２の引き出しを許容する。
【０１１６】
また、筐体４５１と抽斗４５２との間には、ダンパー装置４５７が設けてある。ダンパー装置は、抽斗４５２の閉めきり直前における衝撃を緩衝する一方、抽斗４５２の引き出しが許容された場合に抽斗４５２をわずかに飛び出させるものである。本実施の形態では、筐体４５１にダンパー（図示せず）とバネ４５８とを設ける一方、抽斗４５２にダンパーとバネ４５８とが当接する当接金具４５９を設けることによって、ダンパー装置４５７を構成している。
【０１１７】
また、筐体４５１の奥方には、抽斗収納手段４０６（図４４参照），４０７（図４５参照）が設けてある。抽斗収納手段４０６，４０７は、筐体４５１から引き出された抽斗４５２を動力によって筐体４５１の内部に収納するためのものである。
【０１１８】
［抽斗収納手段の形態１］
図４４は、図４０に示した棒金収納庫に採用した抽斗収納手段の形態１を示す概念図である。抽斗収納手段４０６は、上述したように、筐体４５１から引き出された抽斗４５２を動力によって筐体４５１の内部に収納するもので、図４４に示す抽斗収納手段４０６は、モータ（図示せず）、駆動プーリ４６２、ワイヤー４６３によって構成してある。モータは、動力源となるもので、本形態では、手動で抽斗４５２を引き出し可能に構成する必要があることから、クラッチ付きのモータを用いる。駆動プーリ４６２は、モータの駆動軸に取り付けられ、クラッチにより動力が遮断された場合に空転する一方、クラッチにより動力が伝達される場合にモータの回転方向に回転する。ワイヤー４６３は、一端が抽斗４５２に接続してあり、他端が駆動プーリ４６２に接続してある。これにより、抽斗４５２が引き出された場合には、ワイヤー４６３が駆動プーリ４６２から繰り出され、抽斗４５２を収納する場合にはワイヤー４６３が駆動プーリ４６２に巻き取られる。
【０１１９】
上述した抽斗収納手段４０６を設けた棒金収納庫４０４は、釣銭機３やＰＯＳレジスタ２からの指令により、抽斗４５２の引き出しが許容されると、モータのクラッチを遮断する。これにより、抽斗４５２の引き出しが可能となり、抽斗４５２を引き出すと、駆動プーリ４６２が空転し、ワイヤー４６３が駆動プーリ４６２から繰り出される。
【０１２０】
引き出された抽斗４５２は、釣銭機３やＰＯＳレジスタ２からの抽斗収納指令により、モータを駆動することにより、駆動プーリ４６２にワイヤー４６３を巻き取り、抽斗４５２を筐体４５１の内部に収納する。
【０１２１】
一方、引き出された抽斗４５２を手動で押し込む場合には、抽斗４５２の収納速度に準じて駆動プーリ４６２にワイヤー４６３を巻き取る。なお、ワイヤー４６３の巻き取りにはモータを駆動してもよいが、駆動プーリ４６２に巻き取りバネを内蔵させ、巻き取るようにしてもよい。
【０１２２】
上述した抽斗収納手段を設けた棒金収納庫４０４は、筐体４５１から引き出された抽斗４５２を動力によって筐体４５１の内部に収納することができる。これにより、たとえば、ＰＯＳレジスタ２が接続された管理装置（図示せず）を操作することにより、筐体４５１から引き出された抽斗４５２を筐体４５１の内部に収納させることができる。
【０１２３】
［抽斗収納手段の形態２］
図４５は、図４０に示した棒金収納庫に採用した抽斗収納手段の形態２を示す概念図である。抽斗収納手段４０７は、上述したように、筐体４５１から引き出された抽斗４５２を動力によって筐体４５１の内部に収納するもので、図４５に示す抽斗収納手段４０７は、モータ（図示せず）、駆動プーリ４７２、従動プーリ４７３、ワイヤー４７４によって構成してある。モータは、動力源となるもので、本形態では、手動で抽斗４５２を引き出し可能に構成する必要があることから、クラッチ付きのモータを用いる。駆動プーリ４７２は、モータの駆動軸に取り付けられ、クラッチにより動力が遮断された場合に空転する一方、クラッチにより動力が伝達される場合にモータの回転方向に回転する。従動プーリ４７３は、回転自在に設けてある。ワイヤー４７４は、駆動プーリ４７２と従動プーリ４７３との間に巻回してあり、ワイヤー４７４には抽斗４５２が固定してある。これにより、ワイヤー４７４と抽斗４５２とは連動する。
【０１２４】
上述した抽斗収納手段４０７を設けた棒金収納庫４０４は、釣銭機３やＰＯＳレジスタ２からの指令により、抽斗４５２の引き出しが許容されると、モータのクラッチを遮断する。これにより、抽斗４５２の引き出しが可能となり、抽斗４５２を引き出すと、駆動プーリ４７２と従動プーリ４７３とが空転する。
【０１２５】
引き出された抽斗４５２は、釣銭機３やＰＯＳレジスタ２からの抽斗収納指令により、モータを駆動することにより、ワイヤー４７４を循環させ、抽斗４５２を筐体４５１の内部に収納する。
【０１２６】
一方、引き出された抽斗４５２を手動で押し込む場合には、クラッチを遮断する。なお、駆動プーリ４７２にトルクリミッタ付きワンウェイクラッチを設けることにより、抽斗４５２をトルクリミッタの空転トルク以上の力で押せば、手動で抽斗４５２は収納可能となる。
【０１２７】
上述した抽斗収納手段４０７を設けた棒金収納庫４０４は、筐体４５１から引き出された抽斗４５２を動力によって筐体４５１の内部に収納することができる。これにより、たとえば、ＰＯＳレジスタ２が接続された管理装置（図示せず）を操作することにより、筐体４５１から引き出された抽斗４５２を筐体４５１の内部に収納させることができる。
【０１２８】
また、上述した棒金収納庫４０４の前面に、人間を感知する人感センサ（図示せず）を設けることにより、レジ担当者が所定の位置にいない場合には、管理装置から指令があっても抽斗４５２が引き出せないように制御することが可能になる。
【０１２９】
また、抽斗４５２の内部に釣銭補充用の硬貨や紙幣を検知するセンサがある場合は、レジ担当者の有無、貨幣の有無、または、上位装置が持つ時計が示す時間の組み合わせによって、抽斗４５２の開閉を制御することが可能になる。
【０１３０】
たとえば、セキュリティーのために、店舗の営業中でも、レジ担当者が不在のレジスタでは、抽斗内部の貨幣を全て抜き取り、中には貨幣が入っていないことを示すため、抽斗４５２を開放している場合がある。また、閉店後も同様に運用している例が多い。
【０１３１】
そこで、上記の組み合わせで、レジ担当者が不在で、かつ、抽斗内部に貨幣が入っていない場合は、自動で、かつ、確実に抽斗４５２を開放させておくことが可能となる。これにより、レジ担当者の不在時の貨幣抜き取り忘れも防止できる。
【０１３２】
なお、上述した人感センサは、棒金収納庫にではなく、上位装置である釣銭機３やＰＯＳレジスタ２等に設けてもよい。また、これらの装置に組み込みではなく、別置として本システムの構成要素としても良い。
【０１３３】
この人感センサは、たとえば、体温や動きを検知するもののほか、ＰＯＳレジスタ２の前の床に敷かれたマットに内蔵する重量センサ等でもよい。
【０１３４】
上述した本発明の実施の形態を要約すると、
（１）
筐体と、該筐体に引き出し可能に収納された抽斗とを備えた棒金収納庫において、
従動プーリと駆動プーリとの間に巻回され、前記抽斗が接続されたワイヤーと、
前記駆動プーリを回転させるモータと
を備えたことを特徴とする棒金収納庫。
（２）
前記駆動プーリと前記モータとの間に動力の伝達を遮断するクラッチを設けたことを特徴とする（１）に記載の棒金収納庫。
である。
【符号の説明】
【０１３５】
１    レジスタシステム
２    ＰＯＳレジスタ
２１    制御部
２１Ｂ    補充硬貨特定手段
２１Ｃ    回収硬貨特定手段
２１Ｄ    警告手段
２２    表示部
２３    入力部（タッチパネル）
３    釣銭機
３１    制御部
３１Ａ    釣銭管理手段
３１Ｂ    補充硬貨特定手段
３１Ｃ    回収硬貨特定手段
３１Ｄ    警告手段
３２    表示部
３３    入力部
４    棒金収納庫
４１    制御部
４１Ａ    棒金監視手段
４１Ｂ    棒金特定手段
４３    識別手段
５１    筐体
５２    抽斗
５３    収納トレイ
５４    収納溝
９    金額表示器
１０１    レジスタシステム
１０２    ＰＯＳレジスタ
１２１    制御部
１２１Ｂ    補充硬貨特定手段
１２２    表示部
１２３    入力部（タッチパネル）
１０３    釣銭機
１３１    制御部
１３１Ａ    釣銭管理手段
１３１Ｂ    補充硬貨特定手段
１３２    表示部
１３３    入力部
１０４    棒金収納庫
１４１    制御部
１４１Ａ    棒金管理手段
１４３    識別手段
１４５    取出制限手段
１５１    筐体
１５２    抽斗
１５３    収納トレイ
１５４    収納溝
１６１    棒金ガード
１６２    ウォームギア（ギア）
１６３    モータ
１６４    ウォーム（ギア）
１７１    棒金ガード
１７２，１７４    ギア
１７３    モータ
１８１    フック
１８１Ａ    先端
１８２    軸
１０９    金額表示器
２０４    棒金収納庫
２５１    筐体
２５２    抽斗
２５３    収納トレイ
２５４    収納溝
２６０    収納トレイ
２６１    収納溝
２６１Ａ    側壁
２６１Ｂ    側壁
２６１Ｃ    傾斜壁
２６１Ｄ    底壁
２６２    出力手段
２７０    収納トレイ
２７１    収納溝
２７１Ａ，２７１Ｂ    側壁
２７１Ｃ，２７１Ｄ    傾斜壁
２７１Ｅ    底壁
２７２    出力手段
３０４    棒金収納庫
３５１    筐体
３５２    抽斗
３５３    収納トレイ
３５３Ａ    矩形の穴
３５４    収納溝
３０６    押上手段
３６１    レバー
３６１Ａ    作用端部
３６１Ｂ    押圧端部
３６２    バネ
３６３    軸
４０４    棒金収納庫
４５１    筐体
４５１Ａ    筐体側ガイド部材
４５２    抽斗
４５２Ａ    抽斗側ガイド部材
４５３    ロック機構
４５４    係止棒
４５５    ソレノイド
４５６    金具
４５７    ダンパー装置
４５８    バネ
４５９    当接金具
４０６    抽斗収納手段
４６２    駆動プーリ
４６３    ワイヤー
４０７    抽斗収納手段
４７２    駆動プーリ
４７３    従動プーリ
４７４    ワイヤー
Ｃ    棒金
ＣＡ   ラップ端面
【図１】
2014120061.tif 000003
【図２】
2014120061.tif 000004
【図３】
2014120061.tif 000005
【図４】
2014120061.tif 000006
【図５】
2014120061.tif 000007
【図６】
2014120061.tif 000008
【図７】
2014120061.tif 000009
【図８】
2014120061.tif 000010
【図９】
2014120061.tif 000011
【図１０】
2014120061.tif 000012
【図１１】
2014120061.tif 000013
【図１２】
2014120061.tif 000014
【図１３】
2014120061.tif 000015
【図１４】
2014120061.tif 000016
【図１５】
2014120061.tif 000017
【図１６】
2014120061.tif 000018
【図１７】
2014120061.tif 000019
【図１８】
2014120061.tif 000020
【図１９】
2014120061.tif 000021
【図２０】
2014120061.tif 000022
【図２１】
2014120061.tif 000023
【図２２】
2014120061.tif 000024
【図２３】
2014120061.tif 000025
【図２４】
2014120061.tif 000026
【図２５】
2014120061.tif 000027
【図２６】
2014120061.tif 000028
【図２７】
2014120061.tif 000029
【図２８】
2014120061.tif 000030
【図２９】
2014120061.tif 000031
【図３０】
2014120061.tif 000032
【図３１】
2014120061.tif 000033
【図３２】
2014120061.tif 000034
【図３３】
2014120061.tif 000035
【図３４】
2014120061.tif 000036
【図３５】
2014120061.tif 000037
【図３６】
2014120061.tif 000038
【図３７】
2014120061.tif 000039
【図３８】
2014120061.tif 000040
【図３９】
2014120061.tif 000041
【図４０】
2014120061.tif 000042
【図４１】
2014120061.tif 000043
【図４２】
2014120061.tif 000044
【図４３】
2014120061.tif 000045
【図４４】
2014120061.tif 000046
【図４５】
2014120061.tif 000047